【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
レンズ装置と、当該レンズ装置が着脱可能な撮像装置を有する撮像システムであって、
前記レンズ装置は、レンズ制御手段と、物体の光学像を形成する撮影光学系と、を有し、
前記撮像装置は、制御基準信号に同期して前記レンズ制御手段と通信する撮像装置制御手段を有し、
前記レンズ制御手段は、前記撮像装置制御手段から送信される前記制御基準信号に同期して前記撮影光学系に含まれる被駆動部の駆動制御を行い、
前記撮像装置制御手段は、前記制御基準信号の周期を変更することが可能であり、
前記制御基準信号の周期を変更した場合、前記撮像装置制御手段は、変更後の前記制御基準信号の周期が変更前の前記制御基準信号の周期と一致しないことを示す周期無効情報を変更後の前記制御基準信号に同期して前記レンズ制御手段へ送信し、
前記レンズ制御手段は、前記周期無効情報を受信すると、前記撮像装置制御手段から送信される制御基準信号に同期した同期系制御の実行を停止することを特徴とする撮像システム。
【請求項２】
前記周期無効情報を受信した場合、前記レンズ制御手段は、前記撮像装置制御手段から送信される制御基準信号に同期しない非同期系制御を行い、
前記レンズ制御手段は、前記撮像装置制御手段から前記制御基準信号が送信されると、前記制御基準信号の周期の監視を開始し、前記非同期系制御への移行に際して前記周期の監視を停止することを特徴とする請求項１に記載の撮像システム。
【請求項３】
レンズ装置と、当該レンズ装置が着脱可能な撮像装置を有する撮像システムであって、
前記レンズ装置は、レンズ制御手段と、物体の光学像を形成する撮影光学系と、を有し、
前記撮像装置は、制御基準信号に同期して前記レンズ制御手段と通信する撮像装置制御手段を有し、
前記レンズ制御手段は、前記撮像装置制御手段から送信される前記制御基準信号に同期して前記撮影光学系に含まれる被駆動部の駆動制御を行い、
前記撮像装置制御手段は、前記制御基準信号の周期を変更することが可能であり、
前記制御基準信号の周期を変更した場合、前記撮像装置制御手段は、変更後の前記制御基準信号の周期が変更前の前記制御基準信号の周期と一致しないことを示す周期無効情報を変更後の前記制御基準信号に同期して前記レンズ制御手段へ送信し、
前記レンズ制御手段は、前記周期無効情報を受信すると、前記撮像装置制御手段から送信される制御基準信号に同期した同期系制御を前記変更前の制御基準信号に基づいて実行することができる場合には前記同期系制御を実行し、前記同期系制御を実行することができない場合には待機することを特徴とする撮像システム。
【請求項４】
前記レンズ制御手段は、前記周期無効情報を受信した後、前記同期系制御を実行することができるか否かを示す情報を前記撮像装置制御手段に送信することを特徴とする請求項３に記載の撮像システム。
【請求項５】
前記撮像装置制御手段は、前記同期系制御を実行できないことを示す情報を前記レンズ制御手段から受信した場合、前記周期の変更前に前記レンズ制御手段に対して送信された前記同期系制御の実行命令と同一の実行命令を前記レンズ制御手段に送信することを特徴とする請求項４に記載の撮像システム。
【請求項６】
前記レンズ制御手段は、前記撮像装置制御手段から前記制御基準信号が送信されると、前記制御基準信号の周期の監視を開始し、前記撮像装置制御手段から前記周期無効情報が送信されていない状態で前記制御基準信号の周期のずれを検出した場合、前記周期にずれが生じていることを示す信号を前記撮像装置制御手段に送信することを特徴とする請求項１乃至５のうちいずれか１項に記載の撮像システム。
【請求項７】
前記撮像装置制御手段は、フレームレートを変更する操作に応じて前記周期無効情報を前記レンズ制御手段に送信することを特徴とする請求項１乃至６のうちいずれか１項に記載の撮像システム。
【請求項８】
前記撮像装置制御手段は、前記レンズ装置を前記撮像装置から取り外すための取り外し操作または前記取り外し操作を予告する操作が実行されたことに応じて前記周期無効情報を前記レンズ制御手段に送信することを特徴とする請求項１乃至６のうちいずれか１項に記載の撮像システム。
【請求項９】
前記撮像装置制御手段は、前記撮像装置もしくは前記レンズ装置の少なくとも一方を低消費電力状態にするための操作が行われたことに応じて前記周期無効情報を前記レンズ制御手段に送信することを特徴とする請求項１乃至６のうちいずれか１項に記載の撮像システム。
【請求項１０】
レンズ装置と、当該レンズ装置が着脱可能な撮像装置を有する撮像システムであって、
前記レンズ装置は、レンズ制御手段と、物体の光学像を形成する撮影光学系と、を有し、
前記撮像装置は、制御基準信号に同期して前記レンズ制御手段と通信する撮像装置制御手段を有し、
前記レンズ制御手段は、前記撮像装置制御手段から送信される前記制御基準信号に同期して前記撮影光学系に含まれる被駆動部の駆動制御を行い、
前記撮像装置制御手段は、前記制御基準信号の周期を変更し、変更後の前記制御基準信号に同期して前記制御基準信号の周期を変更する命令を前記レンズ制御手段に送信し、
前記レンズ制御手段は、前記周期を変更する命令を受信し、前記周期の変更に対応可能となった後に、前記変更後の制御基準信号に同期した前記被駆動部の駆動制御を行うことを特徴とする撮像システム。
【請求項１１】
前記撮像装置制御手段は、前記制御基準信号の周期の変更に対応できるかどうかを前記レンズ制御手段に問い合わせることなく前記周期を変更することを特徴とする請求項１０に記載の撮像システム。
【請求項１２】
前記レンズ制御手段は、前記周期を変更する命令を受信した後、前記周期の変更に対応可能か否かを示す情報を前記撮像装置制御手段に送信することを特徴とする請求項１０または１１に記載の撮像システム。
【請求項１３】
前記撮像装置制御手段は、前記周期の変更に対応できないことを示す情報を前記レンズ制御手段から受信した場合、前記周期の変更前に前記レンズ制御手段に対して送信された前記被駆動部の駆動制御命令と同一の駆動制御命令を前記レンズ制御手段に送信することを特徴とする請求項１２に記載の撮像システム。
【請求項１４】
撮像装置に着脱可能であり、制御基準信号に同期して前記撮像装置に含まれる撮像装置制御手段と通信可能なレンズ制御手段と、物体の光学像を形成する撮影光学系を有するレンズ装置であって、
前記レンズ制御手段は、前記撮像装置制御手段から送信される前記制御基準信号に同期して前記撮影光学系に含まれる被駆動部の駆動制御を行い、
前記撮像装置において前記制御基準信号の周期が変更された後、前記変更後の前記制御基準信号の周期が前記変更前の前記制御基準信号の周期とは一致しないことを示す周期無効情報を前記撮像装置制御手段から受信した場合、前記制御基準信号に同期した同期系制御の実行を停止することを特徴とするレンズ装置。
【請求項１５】
撮像装置に着脱可能であり、制御基準信号に同期して前記撮像装置に含まれる撮像装置制御手段と通信可能なレンズ制御手段と、物体の光学像を形成する撮影光学系を有するレンズ装置であって、
前記レンズ制御手段は、前記撮像装置制御手段から送信される前記制御基準信号に同期して前記撮影光学系に含まれる被駆動部の駆動制御を行い、
前記撮像装置において前記制御基準信号の周期が変更された後、前記変更後の前記制御基準信号の周期が前記変更前の前記制御基準信号の周期とは一致しないことを示す周期無効情報を前記撮像装置制御手段から受信した場合、前記制御基準信号に同期した同期系制御を前記変更前の制御基準信号に基づいて実行することができる場合には前記同期系制御を実行し、前記同期系制御を実行することができない場合には待機することを特徴とすることを特徴とするレンズ装置。
【請求項１６】
撮像装置に着脱可能であり、制御基準信号に同期して前記撮像装置に含まれる撮像装置制御手段と通信可能なレンズ制御手段と、物体の光学像を形成する撮影光学系を有するレンズ装置であって、
前記レンズ制御手段は、前記撮像装置制御手段から送信される前記制御基準信号に同期して前記撮影光学系に含まれる被駆動部の駆動制御を行い、
前記制御基準信号の周期を変更する命令を前記撮像装置制御手段から受信した場合、前記周期の変更に対応可能となった後に、前記変更後の制御基準信号に同期した前記被駆動部の駆動制御を行うことを特徴とするレンズ装置。
【手続補正２】
【補正対象書類名】明細書
【補正対象項目名】０００４
【補正方法】変更
【補正の内容】
【０００４】
【特許文献１】国際公報２００９／１３９１７３号公報
【手続補正３】
【補正対象書類名】明細書
【補正対象項目名】０００７
【補正方法】変更
【補正の内容】
【０００７】
本発明の撮像システムは、レンズ装置と、当該レンズ装置が着脱可能な撮像装置を有する撮像システムであって、前記レンズ装置は、レンズ制御手段と、物体の光学像を形成する撮影光学系と、を有し、前記撮像装置は、制御基準信号に同期して前記レンズ制御手段と通信する撮像装置制御手段を有し、前記レンズ制御手段は、前記撮像装置制御手段から送信される前記制御基準信号に同期して前記撮影光学系に含まれる被駆動部の駆動制御を行い、前記撮像装置制御手段は、前記制御基準信号の周期を変更することが可能であり、前記制御基準信号の周期を変更した場合、前記撮像装置制御手段は、変更後の前記制御基準信号の周期が変更前の前記制御基準信号の周期と一致しないことを示す周期無効情報を変更後の前記制御基準信号に同期して前記レンズ制御手段へ送信し、前記レンズ制御手段は、前記周期無効情報を受信すると、前記撮像装置制御手段から送信される制御基準信号に同期した同期系制御の実行を停止すること、を特徴とする。